(57)【要約】【課題】 音声入力を音声レコーダで録音しつつ、順次一音声ずつの音声波形を取り出し、基準音声の波形と一致した音声に対応した文字を認識して抽出し、表示／印字する。【解決手段】 音声入力手段１からの音声信号２を音声レコーダ３で一文字毎に波形４として出力する。基準波形出力回路１４は比較回路１０に出力する基準波形信号１２と同期して文字対応信号１６を文字認識回路１７に出力する。比較回路１０は整形波形信号８と基準波形信号１２を比較し、一致の度合を一致／不一致弁別回路１５に出力する。該回路１５は一致／不一致を判定弁別して一致信号１９を文字認識回路１７に不一致信号２０を表示／印字部２２に出力する。表示／印字部２２は認識信号１９で表示／印字を不一致信号２０で一文字分の空白を表示／印字する。【選択図】  図１
2005165348.tif 000002
【特許請求の範囲】
【請求項１】
音声入力を音声レコーダで録音しつつ、順次一音声ずつの音声波形を取り出し、基準音声波形と一致した音声に対応する文字を抽出して、表示又は印字することを特徴とする音声入力の録音機能及び文字認識機能を備えたコンピュータ又はワードプロセッサ。
【発明の詳細な説明】
【技術分野】
【０００１】
本発明は音声をコンピュータ又はワードプロセッサに付設した電話機の受話器又は内装したマイクロホン（以下音声入力手段という）を介して入力すると自動的に音声レコーダで記憶が開始されると同時に、一文字毎に再生され、再生音声と基準音声を比較して文字を認識し、表示またはハードコピーする機能を備えたコンピュータ又はワードプロセッサに関するものである。
【０００２】
該機能を備えることにより、例えばビジネスにおける重要な電話内容、口述等を自動的に文字にして、文章で表示または印字することができるため、相互の内容確認が正確になり、交渉内容上のトラブルが起こらなくなった。又、口述した内容を必要に応じて訂正すれば記述文を作成することができので、特に、身体障害者、病人、作家（口述による作文）等には利用価値が高い。
【背景技術】
【０００３】
従来、日常の会話は電話で十分であるが記録性がないためビジネスでの重要な交渉内容は別途文書として交わす必要性があった。コンピュータを利用する「電子メール」は文書による通信手段のため記録性があり、情報の公開や一度に多数のステーシヨンに伝達できる点で優れているが、「文字の入力が難しく手間がかかる」「普及率が低く汎用的な通信手段とはいえない」「プライバシーが保てない」「設置工事が面倒で費用が嵩む」「音声による感情の伝達ができない」等の問題点があった。
【０００４】
又、従来のパソコン通信による「電子メール」はモデムを通して電話機が設置されているが「通話」と「コンピュータ」を並用できない上に電話での会話をそのまま音声入力として記憶及び表示することができなかった。一方コンピュータで音声の送受信ができるファクスモデムもあるが、電話と同時対応できるものはなかった。
【発明の開示】
【発明が解決しようとする課題】
【０００５】
本発明は音声を音声入力手段を介して音声レコーダに録音し、順次一音声毎に音声波形を再生して出力し、順送りされる基準音声波形と比較して、一致した波形に対応する文字を抽出して、表示又は印字し、波形一致が困難（以下不一致と言う）な音声波形の対応文字部は空白として表示又は印字するものである。更に抽出文字が複数に達すると、記憶された単語と参照され相似度合により、該単語に修正され印字される構成とした。
【０００６】
音声波形と基準音声波形の比較を容易にするため、音声波形の出力レベル及び周期幅は可変速で任意に設定可能とし、基準音声波形は音声波形と同一レベル、同一周期幅に調整可能とした。又、基準音声波形は五十音を任意の周期で出力し波形が一致した時点で対応する文字を抽出して表示又は印字する構成とした。基準音声波形は高音、低音、男性、女性等出来るだけ多種の五十音の情報を入力し統計処理及び論理処理して作成する。
【課題を解決するための手段】
【０００７】
本発明は音声入力手段を介して音声レコーダに録音し、録音した音声波形を一音声毎に出力（再生）し、一致信号又は不一致信号が出力されて表示又は印字されるまで保持し、トリガーされると消去し、次の音声波形出力に切替え、前述の動作を繰り返し、一致信号の場合は一致した基準音声波形に対応する文字が抽出されて表示又は印字され、不一致信号の場合は基準音声波形の対応文字部が空白となる。
【０００８】
更に、抽出文字が複数になると、記憶されている単語と照合し、相似している場合、その単語に修正する。又、弁別が容易なように、抽出文字は母音の場合も子音と同様に”ア、イ、ウ、エ、オ”をローマ字で”ＡＡ，ＩＩ，ＵＵ，ＥＥ，ＯＯ”の二文字構成とした。即ち、一文字は必ず二つのアルファベット文字で構成し、文字間には区切りを一文字分挿入して各文字の弁別を容易にした。例えば”赤い”は”ＡＡ＊ＫＡ＊ＩＩ”とし、＊を文字の区切りとして認識するようにした。
【発明の効果】
【０００９】
音声入力手段を介して録音レコーダに録音し、一音声毎に再生して、基準波形と音声波形を比較して、文字化し、単語毎に相似性をチェックして文章化することで、音声入力の内容を文字で表示または印字して確認することができるため正確な情報交換ができること、又、後刻、必要な部分を文書に編集し、双方で確認し、記録として残すこともでき商慣習上のトラブルを無くす等の効果がある。
【００１０】
その上、音声入力手段によるため、不特定多数の相手と通信することができると同時にプライバシーが保て、文書化のためのキー入力の必要がないため、文書の作成時間を著しく短縮することができる。又、ＬＡＮ，インターネットの利用も可能であり、更に、音声入力なのでパソコン通信のように、別途の設備や工事をする必要が無いのでコスト削減にも寄与する。
【００１１】
更なる音声入力手段によるメリットは、例えば、口述による作文（作家、病人等による）が容易になり、特に、多忙な作家等の口述が文書化されるため作業時間が短縮され、著しく創作効率を上げることができ、又、病人の口述した遺言を同様に文書化にすることで、本人が確認し遺言状とすることもできる等の効果が大きい。
【発明を実施するための最良の形態】
【００１２】
本発明の全体の構成は図１に示すように、音声入力手段１の音声２は音声レコーダ３に録音され、一音声毎の信号４を波形処理回路６に出力する。回路６は信号４のノイズを除去し、二値化して整形信号８とし、波形比較回路１０に出力する。比較回路１０には基準波形出力回路１４から順次五十音に対応した基準波形１２が出力されているので整形信号８と波形の面積、座標、レベル、傾斜、幅等を比較し一致度合信号１３を出力する。そして、一致／不一致弁別回路１５（弁別の論理は統計処理して決める）で一致か不一致かを弁別する。
【００１３】
回路１５は文字認識回路１７に一致信号１９を表示又は印字部２２に不一致信号２０を弁別して出力する。回路１７には基準波形出力回路１４から出力波形１２に対応した文字信号１６が同一タイミングで出力されているので一致信号１９が入力されると、その時点の文字信号をキープし、同時に信号２１を出力して表示又は印字部２２で表示又は印字する。不一致の場合には不一致信号２０が出力されるので文字対応部は空白で表示又は印字される。一方、一致信号１９又は不一致信号２０が出力されると同時に信号１８も出力され、トリガー回路１１を介してトリガー信号７により、音声レコーダ３に次の一音声を波形処理回路６に出力するよう指令する。又、必要に応じて音声レコーダ３の音声信号５で録音を聞くことが出来る。
【００１４】
図２は基準波形出力部の詳細を示したものであり、各種の音声記憶処理回路２３には高音、低音、男性、女性等の多種音声２５が五十音で入力され、統計処理されて記憶され標準の音声信号２４として基準波形出力回路１４に出力される。回路１４は音声信号２４と文字信号１６（ＡＡ＊ＩＩ＊ＵＵ＊ＥＥ＊ＯＯ＊ＫＡ＊ＫＩ＊ＫＵ＊ＫＥ＊ＫＯ＊ＳＡ＊ＳＩ＊ＳＵ＊ＳＥ＊ＳＯ＊−−−−−）との対応がとられており、音声２４を基準音声波形信号１２に変換して、比較器１０に出力すると同時に対応する文字を文字信号１６として文字認識回路１７に出力する。
【００１５】
図３は波形信号のフローの一例を模擬的に示したものであり、例えば、音声レコーダ３から”か”の一音声を出力するとノイズが乗った信号４は波形処理回路６で二値化、レベル、幅、フイルタリング等の処理をして整形した波形８とし波形比較回路１０に出力する。回路１０では基準波形出力回路１４からの基準波形１２と面積、レベル、傾斜、等の比較をして一致度合を五十音全てについて走査チェツクし、最も一致度合の高い波形信号１３を一致／不一致弁別回路１５に出力する。
【００１６】
回路１５は一致度合によって一致信号１９又は不一致信号２０を出力する。一致信号１９が文字認識回路１７に入力されると、基準波形出力回路１４から同一タイミングで出力されている文字対応信号１６により、文字信号２１が出力されて表示又は印字装置２２に対応する文字を表示又は印字する。一方、一致信号１９又は不一致信号２０と同期してトリガー信号１８が出力され、トリガー回路１１から音声レコーダ３に次の一音声に切り換える信号９を出力する。
【００１７】
本発明は以上の如く、一音声毎に波形比較回路１０、文字認識回路１７によって、対応する文字に変換し、表示又は印字装置２２で文章を作成するが、表示又は印字装置２２（文字認識回路１７でもよく限定しない）には各種の単語（文や文節の最小単位）が記憶されており、文字認識回路１７からの文字信号２１により、抽出文字が複数に達すると、記憶された類似の単語と参照して相似度合によって、該単語に修正され印字される。そのため、印字が単語毎に行われ構文が容易になる。
【図面の簡単な説明】
【００１８】
【図１】本発明の実施の形態を示す全体構成のブロック図である。
【図２】本発明の実施の形態を示す基準音声波形部のブロック図である。
【図３】本発明の実施の形態を示す模擬音声波形のフローチャート図である。
【符号の説明】
【００１９】
１  音声入力手段
２  音声
３  音声レコーダ
４  一音声毎の信号
６  波形処理回路
８  整形信号
９  トリガー信号
１０  波形比較回路
１１  トリガー回路
１２  基準音声波形信号
１３  一致度合信号
１４  基準波形出力回路
１５  一致／不一致弁別回路
１６  文字信号
１７  文字認識回路
１９  一致信号
２０  不一致信号
２１  信号
２２  印字部
２４  音声信号
２５  多種音声
【図１】
2005165348.tif 000003
【図２】
2005165348.tif 000004
【図３】
2005165348.tif 000005